(57)【要約】【課題】簡単な構成で、かつ、安価でありながら、不正使用を防止できる駐輪場用ゲート装置を提供する。【解決手段】駐輪場の出入口に設けられる駐輪場用のゲート装置１０は、水平方向に延在する軸２１を中心として鉛直面内で回転可能な棒状部材２２と、棒状部材２２の両端部において水平方向において、逆方向に突出する一対の突出部２３ａ，２３ｂとを含み、一対の突出部２３ａ，２３ｂ間の寸法は、棒状部材２２が１回転するときに、一対の突出部間に二輪車が１台のみ通過可能な寸法である。【選択図】図１
2009121041.tif 000002
【特許請求の範囲】
【請求項１】
駐輪場の出入口に設けられる駐輪場用ゲート装置であって、
水平な第１方向に延在する軸を中心として鉛直面内で回転可能な棒状部材と、
前記棒状部材の両端部において前記第１方向の逆方向に突出する一対の突出部とを含み、
前記一対の突出部間の寸法は、前記棒状部材が１回転するときに、前記一対の突出部間に二輪車が１台のみ通過可能な寸法である、駐輪場用ゲート装置。
【請求項２】
前記軸は入場機に設けられ、
前記入場機は前記駐輪場への入場の可否を判断する判断手段を有し、
前記判断手段が入場を許可したときのみに、前記棒状部材の回転を許可する回転許可手段を含む、請求項１に記載の駐輪場用ゲート装置。
【請求項３】
前記回転許可手段が前記棒状部材の回転を許可したときに、前記棒状部材を回転させる回転手段を含む、請求項２に記載の駐輪場用ゲート装置。
【請求項４】
前記入場機の前記駐輪場側に設けられたスイッチを含み、
前記スイッチがオンされたときに、前記回転手段が作動される、請求項３に記載の駐輪場用ゲート装置。
【請求項５】
前記スイッチは二輪車が走行する面に設けられ、二輪車の車輪が押すことによって、前記スイッチがオンされる、請求項４に記載の駐輪場用ゲート装置。
【請求項６】
前記駐輪場は、隣接して設けられた入口と出口とを含み、
前記入口と出口とは前記入場機の一方側および他方側に設けられ、
前記一対の突出部を有する棒状部材は前記入場機の一方側および他方側に設けられ、一方の棒状部材は入口側のゲートとして作動し、他方の棒状部材は出口側のゲートとして作動する、請求項１から５のいずれかに記載の駐輪場用ゲート装置。
【発明の詳細な説明】
【技術分野】
【０００１】
この発明は、駐輪場用ゲート装置に関し、特に、不正利用を防ぐことができる駐輪場用ゲート装置に関する。
【背景技術】
【０００２】
駐輪場において、二輪車を一台ずつ確実に入場させる駐輪場用ゲート装置が、たとえば、特開２００５−３４４３２８号公報（特許文献１)や、特開２００５−２９０９８０号公報（特許文献２）に開示されている。特許文献１によれば、二輪車の進行方向の前方と後方とに水平方向に回転する第１のバー及び垂直方向に回転する第２のバーが設けられ、これらのバー間に入場される一台の二輪車のみが位置するようになっている。特許文献２によれば、それぞれが連動しながら水平方向に回転する一対の回転ゲートを用いて一台の二輪車のみが入場可能に構成されている。
【特許文献１】特開２００５−３４４３２８号公報（要約）
【特許文献２】特開２００５−２９０９８０号公報（要約）
【発明の開示】
【発明が解決しようとする課題】
【０００３】
従来の駐輪場において、二輪車を一台ずつ確実に入場させる駐輪場用ゲート装置は、上記のように構成されていた。二輪車の進行方向前方と後方とにそれぞれ別々のゲートを設け、それらを連動するように個別に動作させる必要があり、構成が複雑になり、コストアップになるという問題があった。また、両側に個別にゲートを設ける必要があるため、駐輪場用ゲート装置の設置面積が大きくなるという問題があった。
【０００４】
この発明は、上記のような問題点に鑑みてなされたもので、簡単な構成で、かつ、安価でありながら、不正使用を防止できる駐輪場用ゲート装置を提供することを目的とする。
【課題を解決するための手段】
【０００５】
この発明に係る駐輪場の出入口に設けられる駐輪場用ゲート装置は、水平な第１方向に延在する軸を中心として鉛直面内で回転可能な棒状部材と、棒状部材の両端部において第１方向の逆方向に突出する一対の突出部とを含み、一対の突出部間の寸法は、棒状部材が１回転するときに、一対の突出部間に二輪車が１台のみ通過可能な寸法である。
【０００６】
好ましくは、軸は入場機に設けられ、入場機は駐輪場への入場の可否を判断する判断手段を有し、判断手段が入場を許可したときのみに、棒状部材の回転を許可する回転許可手段を含む。
【０００７】
さらに好ましくは、回転許可手段が棒状部材の回転を許可したときに、棒状部材を回転させる回転手段を含む。
【０００８】
なお、入場機の駐輪場側に設けられたスイッチを含み、スイッチがオンされたときに、回転手段が作動されるようにしてもよい。
【０００９】
また、スイッチは二輪車が走行する面に設けられ、二輪車の車輪が押すことによって、スイッチがオンされるようにしてもよい。
【００１０】
また、駐輪場は、隣接して設けられた入口と出口とを含み、入口と出口とは入場機の一方側および他方側に設けられ、一対の突出部を有する棒状部材は入場機の一方側および他方側に設けられ、一方の棒状部材は入口側のゲートとして作動し、他方の棒状部材は出口側のゲートとして作動するようにしてもよい。
【発明の効果】
【００１１】
水平な第１方向に延在する軸を中心として鉛直面内で回転可能な棒状部材の両端部には、第１方向の逆方向に突出する一対の突出部が設けられ、一対の突出部間の寸法は、棒状部材が１回転するときに、一対の突出部間に二輪車が１台のみ通過可能な寸法である。
【００１２】
したがって、棒状部材を１回転させるごとに１台の二輪車のみが駐輪場に入場できる。
【００１３】
その結果、簡単な構成で、かつ、安価でありながら、不正使用を防止できる駐輪場用ゲート装置を提供できる。
【発明を実施するための最良の形態】
【００１４】
以下、図面を参照して、この発明の一実施の形態について説明する。図１は、この発明の一実施の形態に係る、駐輪場用ゲート装置の平面図（Ａ）、正面図（Ｂ）（（Ａ）において、矢印ＩＢ−ＩＢで示す部分の矢視図）、および側面図（Ｃ）（図１（Ａ）において、矢印ＩＣ−ＩＣで示す部分の矢視図）である。
【００１５】
図１を参照して、駐輪場用ゲート装置１０は、入退場機１１と、入退場機１１に対して水平方向に突出して設けられた軸２１を中心として鉛直面内に回転可能に設けられた回転ゲート２０とを含む。入退場機１１は、４面を有する直方体の柱状を有している。回転ゲート２０が設けられる側の面に自転車等の二輪車が入場する場合にそれを許可するための所定の駐輪定期券を読み取る定期券読取機１２が設けられている。
【００１６】
回転ゲート２０は、回転ゲート２０自身を入退場機１１に回転可能に取付けるための支持回転軸２１と、支持回転軸２１に中心部を支持され、支持回転軸を中心として回転可能な長手の棒状部材である回転バー２２と、回転バー２２の両端部に設けられ、支持回転軸２１とは反対方向に突出する一対の進入防止バー２３ａ，２３ｂを含む。進入防止バー２３ａ，２３ｂはそれに人が当接しても支障がないように、棒状部材とその上に巻かれたウレタンゴム等で構成されたカバー層とから構成されている。
【００１７】
図２は駐輪場用ゲート装置１０の要部を示すブロック図であり、図３は制御部４１の動作を示すフローチャートである。図２を参照して、駐輪場用ゲート装置１０は、装置全体を制御するＣＰＵを有する制御部４１と、ユーザが入場時にかざす定期券を読取る定期券読取部１２と、後に説明する、上部から押されることにより作動するスイッチ１３と、回転バー２２を駆動する回転バー駆動部４２と、回転ゲート２０の回転をロックするゲートロック機構４３とを含む。回転バー駆動部４２は図示のないモータ等を含み、支持回転軸２１を中心に回転バー２２を回転させる。回転バー駆動部４２は入退場機１１の内部に収納されている。
【００１８】
次に、この回転バー方式の駐輪場用ゲート装置１０の動作について説明する。図４および図５は図１に示した駐輪場用ゲート装置１０におけるユーザの動作を順に示す図である。
【００１９】
図２から図５を参照して、ユーザはたとえば自転車３０に乗って駐輪場用ゲート装置１０に右方向から接近する。図中、入退場機１１の左側が駐輪場であり、右側が一般公道である。回転バー２２は図４（Ａ）に示すように、常時は、水平から角度αだけ右上方向に上昇した位置で停止している。なお、このαは、ユーザを入場しやすくするために約３０度が好ましい。
【００２０】
ユーザは入退場機１１の前まで行って、入退場用の定期券を定期券読取機１２にかざす（図４（Ａ）〜図４（Ｂ））。制御部４１はこれを検知すると（図３ステップＳ１１、以下ステップを省略する）、回転ゲート２０に設けられたロック機構４３のロックを解除する（Ｓ１２）。ユーザは図中矢印方向へ移動し、図４（Ｃ）に示すように自転車３０の前輪がスイッチ１３を踏むと（Ｓ１３でＹＥＳ）、回転バー駆動装置４２により回転バー２２が回転を始める（図３Ｓ１４、図４（Ｄ））。図５（Ａ）から（Ｃ）に示すように、回転バー２２の一対の進入防止バー２３ａ，２３ｂ間の寸法は、一人の大人のユーザが自転車３０に乗って移動可能するのに必要であり、かつ、十分な寸法であるため、一人のユーザのみがゲートを通過して駐輪場に入る。図５（Ｄ）に示すように、回転バー２２は１８０度回転して元の位置に戻ると、再びロックされる（Ｓ１４〜Ｓ１６）。
【００２１】
以上のように、この実施の形態においては、ユーザが定期券を定期券読取機にかざすと、回転バー２２のロックが解除され、ユーザが移動すれば、自動的にユーザ一人のみがゲートを移動できるよう回転バー２２を回転するようにしたため、複数の人が同時に駐輪場に入場するといった不正行為を防ぐことができる。
【００２２】
次に、ゲートロック機構４３について説明する。図６はゲートロック機構４３を示す図である。図６（Ａ）と図６（Ｂ）とは、回転バー２２が時計方向（図中矢印で示す）に回転中における状態を示す図であり、図６（Ｃ）と図６（Ｄ）とは回転バー２２が回転を停止した状態を示す図である。図６（Ａ）と図６（Ｃ）とは図１（Ｂ）と同様の入退場機１１の正面図である。図６（Ｂ）と図６（Ｄ）とは図１（Ｃ）と同様の入退場機１１の側面図であり、図６(Ｂ)において、矢印ＡまたはＣで示す矢視図が図６（Ａ）または図６（Ｃ）に対応する。
【００２３】
図６（Ａ）〜（Ｄ）を参照して、ゲートロック機構４３は回転バー２２と同じ支持回転軸２１に固定されて、回転バー２２と連動して回転する長手のロック用バー２４と、ロック用バー２４の両端部が通過する円周上の所定の位置に設けられた電磁石２５とを含む。ロック用バー２４の一方端部には電磁石２５に吸着する吸着板２４ａが設けられており、吸着板２４ａが電磁石２５に対向する位置に移動されると、その位置でロック用バー２４はロックされる。
【００２４】
なお、図においては、ロック用バー２４は入退場機１１の内部に存在しているため、点線で示しているが、電磁石は理解の容易のために、実線で示している。
【００２５】
また、このロック機構は一例であり、吸着板を永久磁石としてもよいし、他の構成を用いてもよい。
【００２６】
図７は従来（Ａ）とこの実施の形態の場合（Ｂ）とにおける入退場機周りの占有面積を示す図である。いずれの図においても、入退場機の左側が駐輪場であり、右側が公道である。図７（Ａ）を参照して、従来においては、入退場機５１に対して跳ね上げ式のゲートが使用されていたため、入退場機５１の公道側と、駐輪場の出口側とに個別に定期券読取機５２を設ける必要があった。そのため、入退場機５１の前後に自転車の停止スペースが必要となり、図７（Ａ）において点線で示す占有面積が必要であった。しかしながら、この実施の形態においては、入退場機１１に定期券読取機１２を一体的に設けることができるため、図７（Ｂ）に示すように、入退場機１１の入場側と退場側との同じ位置に自転車一台分のスペースがあればよい。すなわち、その占有面積は図中一点鎖線で示す範囲であり、従来の約半分で済む。
【００２７】
なお、上記実施の形態においては、駐輪場への入場許可を、定期券を使用して、それを定期券読取機で読取る場合について説明したが、これに限らず、入場券や、現金を用いても同様である。
【００２８】
また、上記実施の形態においては、駐輪場への入退場口を一箇所とにまとめて入退場機を設けた場合について説明したが、これに限らず、入場機と退場機とを別々に設けてもよい。
【００２９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３０】
【図１】この発明の一実施の形態に係る、駐輪場用ゲート装置を示す図である。
【図２】駐輪場用ゲート装置の要部を示すブロック図である。
【図３】制御部の動作を示すフローチャートである。
【図４】駐輪場用ゲート装置におけるユーザの動作を順に示す図である。
【図５】駐輪場用ゲート装置におけるユーザの動作を順に示す図である。
【図６】ゲートロック機構を示す図である。
【図７】従来（Ａ）とこの実施の形態の場合（Ｂ）とにおける入退場機周りの占有状態を示す図である。
【符号の説明】
【００３１】
１０  駐輪場用ゲート装置、１１  入退場機、１２  定期券読取機、２０  回転ゲート、２１  支持回転軸、２２  回転バー、２３  進入防止バー、２４  ロック用バー、２５  電磁石、４１  制御部、４２  回転バー駆動部。
【図１】
2009121041.tif 000003
【図２】
2009121041.tif 000004
【図３】
2009121041.tif 000005
【図４】
2009121041.tif 000006
【図５】
2009121041.tif 000007
【図６】
2009121041.tif 000008
【図７】
2009121041.tif 000009